(57)【要約】      （修正有）【課題】ミスタッチを抑制できるタッチパネル装置を提供する。【解決手段】タッチパネル１０は、ディスプレー４０の一方の面に設けられ、ディスプレー４０とは反対側の面からの接触圧を受圧し、ディスプレー４０とは反対側の面の電気性反応を検出可能である。タッチパネル１０は、タッチ操作により始点が映像に対応する位置に位置し接触圧または電気性反応を発生する軌跡であるタッチ軌跡に対応するタッチ信号を発生する。タッチ回路２０は、タッチパネル１０に電気的に接続され、タッチパネル１０からのタッチ信号を受信し、タッチ信号に応じて映像を変化する演算処理を行うロジック回路２２を有する。映像処理ユニットは、ロジック回路２２による演算処理の結果を受信し、ディスプレー４０上の映像を変化させる処理を行う。【選択図】図１
0003183945.tif 000002
【実用新案登録請求の範囲】
【請求項１】
映像を表示するディスプレーと、
前記ディスプレーの一方の面に設けられ、前記ディスプレーとは反対側の面からの接触圧を受圧可能、または、前記ディスプレーとは反対側の面の電気性反応を検出可能であり、タッチ操作により始点が前記映像に対応する位置に位置し前記接触圧または前記電気性反応を発生する軌跡であるタッチ軌跡に対応するタッチ信号を発生するタッチパネルと、
前記タッチパネルに電気的に接続され、前記タッチパネルからの前記タッチ信号を受信し、前記タッチ信号に応じて前記映像を変化する演算処理を行うロジック回路を有するタッチ回路と、
前記ロジック回路による前記演算処理の結果を受信し、前記ディスプレー上の前記映像を変化させる処理を行う映像処理ユニットと、を備え、
前記ロジック回路は、
前記ディスプレー上の前記映像を映像移動エリアおよび映像拡縮エリアに分け、
前記始点が前記映像移動エリアに対応する前記タッチパネルに位置する場合、前記映像を移動する移動指令信号を前記映像処理ユニットに伝送し、
前記始点が前記映像拡縮エリアに対応する前記タッチパネルに位置する場合、前記映像を拡大または縮小する拡縮指令信号を前記映像処理ユニットに伝送することを特徴とするタッチパネル装置。
【請求項２】
前記映像移動エリアは前記映像の中央に位置し、
前記映像拡縮エリアは前記映像の前記映像移動エリアを除くエリアであることを特徴とする請求項１記載のタッチパネル装置。
【請求項３】
前記タッチパネルは、一つの前記始点から特定方向へ向かって形成される軌跡である単軌跡であるタッチ軌跡に対応するタッチ信号を発生することを特徴とする請求項１記載のタッチパネル装置。
【請求項４】
前記タッチパネルは抵抗式及びキャパシタンス式の何れの一種であることを特徴とする請求項１記載のタッチスクリーンタッチパネル装置。
【請求項５】
前記タッチパネルは透明または不透明であることを特徴とする請求項１記載のタッチスクリーンタッチパネル装置。
【請求項６】
前記タッチパネルの設置位置は直接ディスプレーの上側に設置されていることを特徴とする請求項１記載のタッチスクリーンパネル装置。
【考案の詳細な説明】
【技術分野】
【０００１】
本考案はタッチパネル装置に関する。
【背景技術】
【０００２】
近年、タッチパネル装置は幅広く使用されている。タッチパネル装置は、タッチ感知回路により、タッチパネルに発生するタッチ軌跡を測定し、タッチ軌跡によるタッチ信号を発生する。例えば、スマートフォン（ｓｍａｒｔ  ｐｈｏｎｅ）は、タッチパネルとディスプレー（ｄｉｓｐｌａｙ）を貼り合せ、ディスプレーを見る同時に、タッチパネルをタッチすることによってディスプレーの映像に対して操作する。
【考案の概要】
【考案が解決しようとする課題】
【０００３】
タッチパネル装置の使用上に於いて、ミスタッチ（ｍｉｓｓ  ｔｏｕｃｈ）が良く発生することが現状である。従来のタッチパネルは、パネル全体がタッチ感知領域であるので、常に操作上の不注意によって別のエリア（ａｒｅａ）をタッチし、タッチ軌跡の誤判断が発生し、使用者の不便をもたらす。
【０００４】
本考案の目的は、上述の問題に鑑みてなされたものであり、本考案は、ミスタッチを抑制可能なタッチパネル装置を提供することにある。
【課題を解決するための手段】
【０００５】
本考案によるタッチパネル装置は、ディスプレー、タッチパネル、タッチ回路、および映像処理ユニットを備える。ディスプレーは、映像を表示する。タッチパネルは、ディスプレーの一方の面に設けられ、ディスプレーとは反対側の面からの接触圧を受圧し、ディスプレーとは反対側の面の電気性反応を検出可能である。タッチパネルは、タッチ操作により始点が映像に対応する位置に位置し接触圧または電気性反応を発生する軌跡であるタッチ軌跡に対応するタッチ信号を発生する。タッチ回路は、タッチパネルに電気的に接続され、タッチパネルからのタッチ信号を受信し、タッチ信号に応じて映像を変化する演算処理を行うロジック回路を有する。映像処理ユニットは、ロジック回路による演算処理の結果を受信し、ディスプレー上の映像を変化させる処理を行う。
ロジック回路は、ディスプレー上の前記映像を映像移動エリアおよび映像拡縮エリアに分け、始点が映像移動エリアに対応するタッチパネルに位置する場合、映像を移動する移動指令信号を映像処理ユニットに伝送する。また、ロジック回路は、始点が映像拡縮エリアに対応するタッチパネルに位置する場合、映像を拡大または縮小する拡縮指令信号を映像処理ユニットに伝送する。これにより、ミスタッチが発生することを抑制することができる。
【図面の簡単な説明】
【０００６】
【図１】本考案の一実施形態によるタッチパネル装置の模式図である。
【図２】本考案の一実施形態によるタッチパネル装置のブロック図である。
【図３】本考案の一実施形態によるタッチパネル装置の操作を示す模式図である。
【図４】本考案の一実施形態によるタッチパネル装置の操作を示す模式図である。
【図５】本考案の一実施形態によるタッチパネル装置の操作を示す模式図である。
【図６】本考案の一実施形態によるタッチパネル装置の操作を示す模式図である。
【考案を実施するための形態】
【０００７】
（一実施形態）
本考案の一実施形態を図面に基づいて説明する。
図１に示すように、本考案の一実施形態によるタッチパネル装置は、タッチパネル１０、タッチ回路２０、ディスプレー４０、および映像処理ユニット（ｕｎｉｔ）３０を備える。
タッチパネル１０は、一方の面からの接触圧を受圧可能、または、一方の面の電気性反応を感知可能である。タッチパネル１０は、タッチ操作により始点が映像に対応する位置に位置し接触圧または電気性反応を発生する軌跡であるタッチ軌跡に対応するタッチ信号を発生する。タッチパネル１０は抵抗式、キャパシタンス（ｃａｐａｃｉｔａｎｃｅ）式等のタッチパネルでよい。
【０００８】
タッチ回路２０は、タッチパネル１０に電気的に接続され、タッチパネル１０からのタッチ信号を受信し、タッチ信号に応じて映像を変化する演算処理を行うロジック回路２２を有する。
【０００９】
図２に示すように、本実施形態に於けるタッチパネル１０の設置位置は直接ディスプレー４０の上（例えばスマートフォンまたはタブレット（ｔａｂｌｅｔ）型コンピュータ（ｃｏｍｐｕｔｅｒ））に設置される。
【００１０】
映像処理ユニット（ｕｎｉｔ）３０は、ロジック回路２２による演算処理の結果を受信し、ディスプレー４０上の映像を変化させる処理を行う。
【００１１】
ロジック回路２２は、ディスプレー４０上の映像を映像移動エリア４１および映像拡縮エリア４２に分ける。
ロジック回路２２は、始点が映像移動エリア４１に対応するタッチパネル１０に位置する場合、映像を移動する移動指令信号を映像処理ユニット３０に伝送する。
また、ロジック回路２２は、始点が映像拡縮エリア４２に対応するタッチパネル１０に位置する場合、映像を拡大または縮小する拡縮指令信号を映像処理ユニットに３０伝送する。
【００１２】
タッチ軌跡が映像拡縮エリア４２から始まり、映像移動エリア４１まで継続する場合、ロジック回路２２及び映像処理ユニット３０の処理により、映像は縮小する。その逆も同じである。
【００１３】
タッチ軌跡が映像移動エリア４１から始まり、映像拡縮エリア４２まで継続する場合、映像は軌跡の方向に移動する。
【００１４】
図４に示すように、映像移動エリア４１は映像の中央の所定範囲内に位置し、映像移動エリア４１以外は映像拡縮エリア４２である。
【００１５】
（単軌跡操作）
単軌跡操作は、一つの始点から特定方向へ向かって形成される軌跡である単軌跡を形成する操作である。タッチ回路２０がタッチ信号を受信するとロジック回路２２は対応する動作指令が発生する。
【００１６】
映像を拡大する操作：
タッチパネルに現れる映像が純映像（すなわち欄位及び連結を含まない）である場合、タッチ回路２０は、単軌跡操作（すなわち指でタッチパネルの上をタッチする）によるタッチ信号を受信し、ロジック回路２２は、タッチ信号により映像を初期のサイズ戻す指令を映像処理ユニット３０へ伝送する。ディスプレー４０中の映像は初期のサイズで表示される。
【００１７】
図５に示すように、タッチ回路２０は、円形または円弧形のタッチ軌跡によるタッチ信号を受信した場合、ロジック回路２２は、タッチ信号によって映像を回転する指令を映像処理ユニット３０へ伝送する。ディスプレー４０中の映像は回転する。
【００１８】
（双軌跡操作）
双軌跡操作は、同時に二つの始点を有する場合タッチ軌跡を形成する操作である。
【００１９】
図６に示すように、タッチ回路２０は、双軌跡操作（すなわち二つの指を用いてタッチパネルの映像に一回タッチする）によるタッチ信号を受信した場合、ロジック回路２２は、映像を拡大する指令を映像処理ユニット３０へ伝送する。映像はタッチ軌跡がディスプレーの縁部に至るまで拡大する。
【００２０】
タッチ回路２０が一つの点状のタッチ軌跡及び一つの線状のタッチ軌跡を有する双タッチ軌跡によるタッチ信号を受信する場合（すなわち二つの指を用いてタッチパネルをタッチし、その後一つの指を離す；残った点は拡縮エリアにあるとは限定しない）、一つの指のタッチ軌跡が内向きであると、ロジック回路２２及び映像処理ユニット３０は映像を縮小する指令を発生する。逆に、一つの指のタッチ軌跡が外向きであると、ロジック回路２２及び映像処理ユニット３０は映像を拡大する指令を発生する（この場合は拡縮モード（ｍｏｄｅ）に入る）。タッチ軌跡が円弧形軌跡である場合、ロジック回路２２はタッチ軌跡に応じて映像を回転する指令を発生する。
【００２１】
タッチ回路２０が特定の時間間隔で二点のタッチ軌跡によるタッチ信号を受信した場合（すなわち二つの指を用いてタッチスクリーンに二回タッチする）、ロジック回路２２は、当時の映像の映像ピクセル（ｐｉｘｅｌ）とディスプレー４０のピクセルとを一致させる指令を発生し、タッチパネル１０に表れる映像の解像度とスクリーンの解像度とが同じく（例えば、ディスプレー４０の解像度が５１２ｘ１０２４  ピクセルである場合、映像の解像度も５１２ｘ１０２４  ピクセルで表れる）なる。すなわち映像はタッチ軌跡によってディスプレー４０の全面に表れる。
【００２２】
映像がディスプレー４０の全面に表れた場合、タッチ回路２０が特定時間間隔で二点のタッチ軌跡によるタッチ信号を受信した場合（すなわち二つの指を用いてタッチパネルに二回タッチする）、ロジック回路２２は映像を元のサイズに戻す指令を発生する。よって、映像処理ユニット３０の処理により、タッチパネル１０に表れる拡大された映像は元のサイズに戻される。
【００２３】
本実施形態は、上記構成によりタッチパネルでのミスタッチを抑制することができる。
【００２４】
本考案は、上述した実施形態に限定されるものではなく、考案の趣旨を逸脱しない範囲で種々の形態で実施可能である。
【符号の説明】
【００２５】
１０・・・タッチパネル、
２０・・・タッチ回路、
２２・・・ロジック回路、
４０・・・ディスプレー。
【図１】
0003183945.tif 000003
【図２】
0003183945.tif 000004
【図３】
0003183945.tif 000005
【図４】
0003183945.tif 000006
【図５】
0003183945.tif 000007
【図６】
0003183945.tif 000008